(57)【要約】【課題】使用者を確認するための情報を受信し、更に使用者から受け付けた情報と照合して使用者を確認してから画像を記録する画像記録装置を利用する際に、他者に画像の内容が知られることを防止する画像記録システム及び画像記録装置を提供する。【解決手段】送信装置２は、認証コードを暗号化鍵に用いて画像データを暗号化した暗号化画像データと一方向関数を用いて認証コードをダイジェスト化した第１変換情報とを画像記録装置１へ送信する。画像記録装置１は、使用者より直接に受け付けた認証コードを一方向関数を用いてダイジェスト化して第２変換情報を生成し、生成した第２変換情報と受信した第１変換情報とが一致した場合に、受け付けた認証コードを復号鍵に用いて、受信した暗号化画像データを画像データへ復号し、復号した画像データに基づいて画像を生成して記録する。【選択図】        図１
2004328629.tif 000002
【特許請求の範囲】
【請求項１】
画像記録装置と、該画像記録装置に接続され、情報を前記画像記録装置へ送信する送信装置とを備える画像記録システムにおいて、
前記送信装置は、
第１の情報を変換して第１変換情報を生成する第１変換手段と、
生成した第１変換情報及び画像記録指示を前記画像記録装置へ送信する手段とを備え、
前記画像記録装置は、
第２の情報を受け付ける手段と、
受け付けた第２の情報を変換して第２変換情報を生成する第２変換手段と、
受信した第１変換情報、及び生成した第２変換情報が互いに対応するか否かを判定する手段と、
第１変換情報及び第２変換情報が互いに正当に対応すると判定した場合に、受信した画像記録指示に従って画像を記録する手段と
を備えることを特徴とする画像記録システム。
【請求項２】
画像記録装置と、該画像記録装置に接続され、情報を前記画像記録装置へ送信する送信装置とを備える画像記録システムにおいて、
前記送信装置は、
第１の情報を変換して第１変換情報を生成する第１変換手段と、
前記第１の情報を暗号化鍵として画像データを暗号化した暗号化画像データを生成する手段と、
生成した第１変換情報及び暗号化画像データを前記画像記録装置へ送信する手段とを備え、
前記画像記録装置は、
第２の情報を受け付ける手段と、
受け付けた第２の情報を変換して第２変換情報を生成する第２変換手段と、
受信した第１変換情報、及び生成した第２変換情報が一致するか否かを判定する判定手段と、
前記第２の情報を復号鍵として、受信した暗号化画像データを復号する手段と、
前記判定手段により第１変換情報及び第２変換情報が一致すると判定した場合に、復号した画像データに基づいて生成した画像を記録する手段と
を備えることを特徴とする画像記録システム。
【請求項３】
前記第１変換手段及び前記第２変換手段は、一方向関数を用いて情報をダイジェスト化すべくなしてあることを特徴とする請求項１又は２に記載の画像記録システム。
【請求項４】
他の装置から受信した画像記録指示に従って画像を記録する画像記録装置において、
画像記録指示及び第１変換情報を他の装置から受信する手段と、
一の情報を受け付ける手段と、
受け付けた情報を変換して第２変換情報を生成する手段と、
受信した第１変換情報、及び生成した第２変換情報が互いに対応するか否かを判定する手段と、
第１変換情報及び第２変換情報が互いに正当に対応すると判定した場合に、受信した画像記録指示に従って画像を記録する手段と
を備えることを特徴とする画像記録装置。
【請求項５】
他の装置から受信した画像データに基づいて生成した画像を記録する画像記録装置において、
暗号化画像データ及び第１変換情報を他の装置から受信する手段と、
一の情報を受け付ける受付手段と、
受け付けた情報を変換して第２変換情報を生成する手段と、
受信した第１変換情報、及び生成した第２変換情報が一致するか否かを判定する判定手段と、
前記受付手段が受け付けた情報を復号鍵として、受信した暗号化画像データを復号する手段と、
前記判定手段が、第１変換情報及び第２変換情報が一致すると判定した場合に、復号した画像データに基づいて生成した画像を記録する手段と
を備えることを特徴とする画像記録装置。
【請求項６】
前記変換手段は、一方向関数を用いて情報をダイジェスト化すべくなしてあることを特徴とする請求項４又は５に記載の画像記録装置。
【発明の詳細な説明】
【０００１】
【発明の属する技術分野】
本発明は、画像記録装置が受信した情報と使用者から受け付けた情報とを照合し、情報が対応した場合に画像の記録を行う画像記録システム、及び画像記録装置に関する。
【０００２】
【従来の技術】
プリンタ装置として機能する画像記録装置で画像を記録する方法は、パーソナルコンピュータ（ＰＣ）等の情報を送信する送信装置にケーブルを介して接続された画像記録装置にて画像を記録する従来の方法から、通信ネットワークに画像記録装置と送信装置とが接続され、通信ネットワークを介して送信装置から画像記録装置へ画像データを送信して画像記録装置が画像を出力する方法へと移り変わり始めている。このような環境の元では、複数の使用者の指示により用紙に画像が記録された記録物が、記録物の収容部において互いに混ざり合い、他の使用者によって記録物が持ち去られる可能性がある。画像記録装置が扱う情報には、企業秘密を記載した文章などの機密性を有する情報が含まれている場合があり、不特定多数の者が記録物を持ち去ることが可能な状況では、画像記録装置で扱う情報の機密性を保つことが困難である。
【０００３】
そこで、送信装置から送信された画像データを画像記録装置が受信したときに、画像の記録を行わずに画像データを記憶しておき、使用者が画像記録装置を直接に操作して記録の指示を入力してから画像を記録する画像記録装置が開発されている。特許文献１では、送信装置から画像記録装置へ画像データと共に暗証番号を送信し、画像記録装置は、使用者が直接に操作して暗証番号を入力する手段を備え、同じ暗証番号の入力を受け付けて使用者が確認されてから画像を記録する技術が開示されている。また、通信ネットワーク上を流れる画像データ、又は画像記録装置が記憶している画像データが読み取られることを防止するために、特許文献２では、送信装置は暗号化した画像データとキーコードとを画像記録装置へ送信し、画像記録装置は、暗号化された画像データを記憶しておき、正当なパスワードを受け付けたときにキーコードを用いて画像データを復号して画像を記録する技術が開示されている。
【０００４】
【特許文献１】
特開平３−２６９７５６号公報
【特許文献２】
特開平６−１２４１７８号公報
【０００５】
【発明が解決しようとする課題】
特許文献１に開示された技術は、使用者を確認するための暗証番号を画像データと共に送信しているため、通信ネットワーク上で暗証番号を読み取られた場合には、他者によるなりすまし可能となるという問題がある。また、特許文献２に開示された技術についても、画像データを復号するために必要な情報を画像データと共に送信しているため、前記情報を通信ネットワーク上で読み取られた場合、他者が画像データを復号することが可能になるという問題がある。
【０００６】
本発明は、斯かる事情に鑑みてなされたものであって、その目的とするところは、使用者を確認するための情報を一方向関数によりダイジェスト化して画像記録装置へ送信し、画像記録装置では直接に受け付けた情報をダイジェスト化し、ダイジェスト化した情報を照合して使用者を確認することにより、他者によるなりすましを防止する画像記録システム、及び画像記録装置を提供することにある。
【０００７】
更に、本発明の他の目的とするところは、使用者を確認するための情報を暗号化鍵に用いて画像データを暗号化して送信し、前記情報を一方向関数によりダイジェスト化して送信し、画像記録装置では、直接に受け付けた情報を復号鍵に用いて画像データを復号することにより、他者による画像データの復号を防止する画像記録システム、及び画像記録装置を提供することにある。
【０００８】
【課題を解決するための手段】
本発明に係る画像記録システムは、画像記録装置と、該画像記録装置に接続され、情報を前記画像記録装置へ送信する送信装置とを備える画像記録システムにおいて、前記送信装置は、第１の情報を変換して第１変換情報を生成する第１変換手段と、生成した第１変換情報及び画像記録指示を前記画像記録装置へ送信する手段とを備え、前記画像記録装置は、第２の情報を受け付ける手段と、受け付けた第２の情報を変換して第２変換情報を生成する第２変換手段と、受信した第１変換情報、及び生成した第２変換情報が互いに対応するか否かを判定する手段と、第１変換情報及び第２変換情報が互いに正当に対応すると判定した場合に、受信した画像記録指示に従って画像を記録する手段とを備えることを特徴とする。
【０００９】
本発明に係る画像記録システムは、画像記録装置と、該画像記録装置に接続され、情報を前記画像記録装置へ送信する送信装置とを備える画像記録システムにおいて、前記送信装置は、第１の情報を変換して第１変換情報を生成する第１変換手段と、前記第１の情報を暗号化鍵として画像データを暗号化した暗号化画像データを生成する手段と、生成した第１変換情報及び暗号化画像データを前記画像記録装置へ送信する手段とを備え、前記画像記録装置は、第２の情報を受け付ける手段と、受け付けた第２の情報を変換して第２変換情報を生成する第２変換手段と、受信した第１変換情報、及び生成した第２変換情報が一致するか否かを判定する判定手段と、前記第２の情報を復号鍵として、受信した暗号化画像データを復号する手段と、前記判定手段により第１変換情報及び第２変換情報が一致すると判定した場合に、復号した画像データに基づいて生成した画像を記録する手段とを備えることを特徴とする。
【００１０】
本発明に係る画像記録システムは、前記第１変換手段及び前記第２変換手段は、一方向関数を用いて情報をダイジェスト化すべくなしてあることを特徴とする。
【００１１】
本発明に係る画像記録装置は、他の装置から受信した画像記録指示に従って画像を記録する画像記録装置において、画像記録指示及び第１変換情報を他の装置から受信する手段と、一の情報を受け付ける手段と、受け付けた情報を変換して第２変換情報を生成する手段と、受信した第１変換情報、及び生成した第２変換情報が互いに対応するか否かを判定する手段と、第１変換情報及び第２変換情報が互いに正当に対応すると判定した場合に、受信した画像記録指示に従って画像を記録する手段とを備えることを特徴とする。
【００１２】
本発明に係る画像記録装置は、他の装置から受信した画像データに基づいて生成した画像を記録する画像記録装置において、暗号化画像データ及び第１変換情報を他の装置から受信する手段と、一の情報を受け付ける受付手段と、受け付けた情報を変換して第２変換情報を生成する手段と、受信した第１変換情報、及び生成した第２変換情報が一致するか否かを判定する判定手段と、前記受付手段が受け付けた情報を復号鍵として、受信した暗号化画像データを復号する手段と、前記判定手段が、第１変換情報及び第２変換情報が一致すると判定した場合に、復号した画像データに基づいて生成した画像を記録する手段とを備えることを特徴とする。
【００１３】
本発明に係る画像記録装置は、前記変換手段は、一方向関数を用いて情報をダイジェスト化すべくなしてあることを特徴とする。
【００１４】
本発明においては、送信装置から画像記録装置へ画像記録指示と共に使用者を確認するための情報を送信し、画像記録装置は、使用者の操作により対応する情報を受け付けた場合に画像を記録するシステムにおいて、送信装置は、使用者を確認するための第１の情報を変換した第１変換情報を送信し、画像記録装置は、使用者の操作により受け付けた第２の情報を第２変換情報へ変換し、第１変換情報と第２変換情報とが正当に対応した場合に画像を記録する。
【００１５】
本発明においては、送信装置から画像記録装置へ画像データと共に使用者を確認するための情報を送信し、画像記録装置は、使用者の操作により対応する情報を受け付けた場合に画像を記録するシステムにおいて、送信装置は、使用者を確認するための第１の情報を変換した第１変換情報と第１の情報を暗号化鍵にして画像データを暗号化した暗号化画像データとを送信し、画像記録装置は、使用者の操作により受け付けた第２の情報を第２変換情報へ変換し、第１変換情報と第２変換情報とが一致した場合に第２の情報を復号鍵として暗号化画像データを復号し、画像を記録する。
【００１６】
本発明においては、第１変換情報及び第２変換情報は、一方向関数を用いて情報をダイジェスト化して生成する。
【００１７】
【発明の実施の形態】
以下本発明をその実施の形態を示す図面に基づき具体的に説明する。
図１は、本発明の概要を示す概念図である。本発明の画像記録システムは、プリンタ装置である本発明の画像記録装置１と、画像記録装置１に接続された本発明に係る送信装置２とを備えている。送信装置２は、パーソナルコンピュータ（ＰＣ）等のコンピュータを用いてなり、画像記録装置１にて画像として記録するための画像データを作成し、使用者の操作により入力されるか又は予め記憶してある、本発明に係る第１の情報である認証コードを暗号化鍵に用いて画像データを暗号化し、暗号化画像データを生成して画像記録装置１へ送信する。送信装置２は、また、一方向ハッシュ関数などの一方向関数を用いて認証コードをダイジェスト化し、第１変換情報を生成して画像記録装置１へ送信する。画像記録装置１は、使用者の操作により本発明に係る第２の情報である認証コードを受け付け、受け付けた認証コードを一方向関数を用いてダイジェスト化して第２変換情報を生成し、使用者を確認するために、生成した第２変換情報と受信した第１変換情報とを照合する。第２変換情報と第１変換情報とが一致した場合に、送信装置２の使用者と画像記録装置１を操作している使用者とが一致すると確認され、画像記録装置１は、受け付けた認証コードを復号鍵に用いて、受信した暗号化画像データを画像データへ復号し、復号した画像データに基づいて画像を生成して記録する。
【００１８】
図２は、本発明の画像記録システムの構成、及び本発明の画像記録装置の内部の構成を示すブロック図である。画像記録装置１は、演算を行うＣＰＵ及び演算に伴う一時的な情報を記憶するＲＡＭ等からなる制御部１１を備え、制御部１１には、画像記録装置１の制御を行うための制御プログラムを記憶しているＲＯＭ１５が接続されており、制御部１１は、ＲＯＭ１５が記憶している制御プログラムに従って、画像記録装置１全体の制御を行う。また、制御部１１には、画像記録装置１の状態を示す管理情報を記憶するメモリである管理部１４が接続されており、制御部１１は、管理部１４が記憶している管理情報を参照し、参照した管理情報に基づいて画像記録装置１の制御を行う。また、制御部１１には、用紙に記録された画像を走査して読み取り、読みとった画像に基づいた電子的な画像データを生成する画像読み取り部１６と、画像データから画像を形成し、形成した画像を記録用紙に記録して出力する画像形成部１７とが接続されており、画像記録装置１は、画像読み取り部１６にて読みとった画像を複写する複写装置として機能する。また、制御部１１には、ハードディスク又は不揮発性のメモリからなる記憶部１８が接続されており、記憶部１８は画像データを記憶する。また、制御部１１には、使用者からの操作を受け付ける操作部１２が接続されており、操作部１２は、操作のために必要な情報を表示する液晶パネル等の表示手段と、使用者の操作により制御命令などの情報が入力されるタッチパネル又はテンキー等の入力手段とからなっている。
【００１９】
更に、制御部１１には、ＬＡＮ等の通信ネットワークＮに接続された通信部１３が接続されており、通信部１３は、通信ネットワークＮを介して、外部との間で情報を交換する。通信ネットワークＮには、複数の送信装置２，２，…が接続されており、通信部１３は、送信装置２から送信された画像データを通信ネットワークＮを介して受信し、受信した画像データを記憶部１８に記憶し、画像形成部１７は画像データから画像を形成して出力することができ、画像記録装置１は、プリンタ装置として機能する。また、画像記録装置１は、画像読み取り部１６が画像を読みとって生成した画像データを通信部１３から通信ネットワークＮを介して送信装置２へ送信することができ、スキャナ装置として機能する。また、通信部１３は、ファクシミリ通信を行うことが可能であり、通信ネットワークＮに接続された図示しない外部の通信ネットワークを介して、ファクシミリ通信にて外部のファクシミリ装置との間で画像データを交換するファクシミリ装置として機能する。
【００２０】
送信装置２は、演算を行うＣＰＵ２１と、演算に伴って発生する一時的な情報を記憶するＲＡＭ２２と、ＣＤ−ＲＯＭドライブ等の外部記憶装置２３と、ハードディスク等の内部記憶装置２４とを備えており、ＣＤ−ＲＯＭ等の記録媒体３からコンピュータプログラム３０を外部記憶装置２３にて読み取り、読み取ったコンピュータプログラム３０を内部記憶装置２４に記憶し、ＲＡＭ２２にコンピュータプログラム３０をロードし、ＣＰＵ２１は、ロードしたコンピュータプログラム３０に基づいて送信装置２に必要な処理を実行する。また、送信装置２は、通信ネットワークＮに接続された通信部２７を備えており、通信ネットワークＮを介して画像記録装置１へ画像の記録指示を送信する。また送信装置２は、キーボード又はマウス等の入力部２５と、液晶ディスプレイ又はＣＲＴディスプレイ等の出力部２６とを備えており、情報の入力を初めとするオペレータからの操作を受け付ける構成となっている。
【００２１】
コンピュータプログラム３０は、情報をダイジェスト化する一方向ハッシュ関数を内部に含んでおり、また、画像記録装置１のＲＯＭ１５は、同様の一方向ハッシュ関数を記憶している。
【００２２】
図３は、送信装置３から画像記録装置１へ画像記録の指示を送信する処理の手順を示すフローチャートであり、図４は、画像記録の指示を送信する際の送信装置２の出力画面例を示す模式図である。使用者が、図４（ａ）に示す如き出力部２６の画面上で、画像記録に用いるプリンタである画像記録装置１を選択し、印刷範囲および印刷部数を入力し、ＯＫを指定することで、送信装置２は、ＰＣである送信装置２が作成した画像を記録する指示などの画像記録の指示を入力部２５にて受け付け（Ｓ１０１）、ＣＰＵ１１は、コンピュータプログラム３０をＲＡＭ２２へロードし、ロードしたコンピュータプログラム３０に従って、図４（ｂ）に示す如きジョブ管理の画面を出力部２６に出力して、使用者を確認するための本発明に係る第１の情報である認証コードの入力の指示を出力する（Ｓ１０２）。図４（ｂ）に示す如きジョブ管理の画面では、画像データを送信してそのまま画像を記録させる通常印刷と、画像を記録した後に画像データをホールドしておく印刷後ホールドと、画像記録装置１に直接に指示を入力するまで画像データをホールドしておく印刷せずにホールドとの画像記録方法を選択可能になっており、印刷せずにホールドを指定した場合に本発明の画像記録システムは本発明に係る処理を行う。図４（ｂ）に示す如き画面上で、使用者が、ユーザ名、ジョブ名、及び認証コードを入力してＯＫを指定することによる、入力部２５での認証コードの受け付けをＣＰＵ２１は監視し（Ｓ１０３）、図４（ｂ）に示す画面上で使用者がキャンセルを指定する等して認証コードを受け付けなかった場合は（Ｓ１０３：ＮＯ）、ＣＰＵ２１は、ＲＡＭ２２にロードしたコンピュータプログラム３０に従って、出力部２６に出力する画面を図４（ａ）に示す画面に戻し、画像記録のキャンセルの受付を監視し（Ｓ１０４）、入力部２５でキャンセルを受け付けた場合は（Ｓ１０４：ＹＥＳ）、処理を終了し、キャンセルを受け付けなかった場合は（Ｓ１０４：ＮＯ）、処理をステップＳ１０２へ戻して認証コードの入力の指示を出力部２６に出力する。
【００２３】
ステップＳ１０３にて認証コードを受け付けた場合は（Ｓ１０３：ＹＥＳ）、ＣＰＵ２１は、次に、ＲＡＭ２２にロードしたコンピュータプログラム３０に従って、受け付けた認証コードを暗号化鍵に利用して、画像記録装置１に記録させるべき画像の画像データを共通鍵方式で暗号化して、暗号化画像データを生成し（Ｓ１０５）、一方向ハッシュ関数を用いて認証コードをダイジェスト化して、第１変換情報を生成し（Ｓ１０６）、暗号化画像データ及び第１変換情報を、通信部２７から通信ネットワークＮを介して画像記録装置１へ送信する（Ｓ１０７）。
【００２４】
画像記録装置１は、通信ネットワークＮを介して送信装置２から送信された暗号化画像データ及び第１変換情報を、通信部１３にて受信し（Ｓ１０８）、制御部１１は、ＲＯＭ１５に記憶している制御プログラムに従って、受信した暗号化画像データ及び第１変換情報を記憶部１８に記憶し（Ｓ１０９）、記憶部１８に記憶した暗号化画像データ及び第１変換情報に係る情報を加えて管理部１４が記憶している管理情報を更新し（Ｓ１１０）、処理を終了する。なお、前述の処理においては、送信装置２にて、画像記録の指示を受け付ける都度、認証コードの入力を受け付ける処理を用いているが、送信装置２が予め認証コードを記憶しておき、記憶している認証コードを利用して暗号化およびダイジェスト化を行う処理を用いても良い。
【００２５】
図５は、画像記録装置１の記憶部１８に記憶している記憶内容の例を示す概念図である。暗号化画像データに関連づけて、ユーザ名、日時、部数、及びジョブ名などの情報が記憶されれており、更に、第１変換情報が記憶されている。
【００２６】
図６は、画像記録装置１が画像を記録する処理の手順を示すフローチャートであり、図７は、画像を記録する際の画像記録装置１の操作部１２での出力画面例を示す模式図である。画像記録装置１は、操作部１２にて画像記録の指示を使用者の操作により受け付け（Ｓ２０１）、制御部１１は、ＲＯＭ１５に記憶している制御プログラムに従って、図７（ａ）に示す如き、記憶部１８に記憶している暗号化画像データの夫々に対応する画像記録のジョブのリストを操作部１２の表示手段に出力する（Ｓ２０２）。図７（ａ）に示す如き画面上で使用者が画像の記録を行うべきジョブを指定することによる、ジョブの選択の受け付けを制御部１１は監視し（Ｓ２０３）、ジョブの選択を受け付けなかった場合は（Ｓ２０３：ＮＯ）、処理を終了し、ジョブの選択を受け付けた場合は（Ｓ２０３：ＹＥＳ）、制御部１１は、ＲＯＭ１５に記憶している制御プログラムに従って、認証コードの入力の指示を操作部１２の表示手段に出力する（Ｓ２０４）。図７（ｂ）は、認証コードの入力を指示する操作部１２の出力画面例であり、認証コードが数字で構成されている場合は、使用者は操作部１２のテンキーを操作して認証コードを入力し、認証コードにアルファベット等の文字が含まれている場合は、使用者が文字入力画面を指定することにより、文字を入力するための画面が表示され、認証コードを入力することができる。制御部１１は、ＲＯＭ１５に記憶している制御プログラムに従って、操作部１２での認証コードの受付を監視し（Ｓ２０５）、認証コードを受け付けない場合は（Ｓ２０５：ＮＯ）、操作部１２での終了指示の受付を監視し（Ｓ２０６）、終了指示を受け付けた場合は（Ｓ２０６：ＹＥＳ）、処理を終了し、終了指示を受け付けない場合は（Ｓ２０６：ＮＯ）、処理をステップＳ２０４へ戻して、認証コードの入力の指示を操作部１２に出力する。
【００２７】
ステップＳ２０５にて認証コードを受け付けた場合は（Ｓ２０５：ＹＥＳ）、制御部１１は、ＲＯＭ１５に記憶している制御プログラムに従って、受け付けた認証コードを一時記憶し（Ｓ２０７）、受け付けた認証コードを一方向ハッシュ関数を用いてダイジェスト化して、第２変換情報を生成し（Ｓ２０８）、選択したジョブに関連づけて記憶している第１変換情報と生成した第２変換情報とが一致するか否かを判定する（Ｓ２０９）。第１変換情報と第２変換情報とが一致していない場合は（Ｓ２０９：ＮＯ）、制御部１１は、ＲＯＭ１５に記憶している制御プログラムに従って、認証コードが合わないことを示すエラーを操作部１２の表示手段に出力し（Ｓ２１０）、操作部１２での終了指示の受付を監視し（Ｓ２１１）、終了指示を受け付けた場合は（Ｓ２１１：ＹＥＳ）、処理を終了し、終了指示を受け付けない場合は（Ｓ２１１：ＮＯ）、処理をステップＳ２０４へ戻して、認証コードの入力の指示を操作部１２に出力する。ステップＳ２０９にて、第１変換情報と第２変換情報とが一致していると判定された場合は（Ｓ２０９：ＹＥＳ）、制御部１１は、ＲＯＭ１５に記憶している制御プログラムに従って、一時記憶している認証コードを復号鍵として、暗号化画像データを画像データへ復号し（Ｓ２１２）、復号した画像データに従って画像形成部１７にて画像を生成して用紙に記録し（Ｓ２１３）、処理を終了する。
【００２８】
以上詳述した如く、本発明においては、送信装置２から画像データと共に認証コードを画像記録装置１へ送信し、画像記録装置１は、受信した画像データを記憶しておき、使用者の操作により同一の認証コードが入力されたときに画像を記録する画像記録システムにおいて、送信装置２は、認証コードを一方向関数でダイジェスト化して画像記録装置１へ送信し、画像記録装置１は、使用者から受け付けた認証コードを同様に一方向関数でダイジェスト化し、ダイジェスト化した認証コード同士を照合して一致するか否かを判定する。送信装置２から画像記録装置１へ通信ネットワークＮを介して送信される情報は、認証コードを一方向関数でダイジェスト化した情報であるため、通信ネットワーク上で他者によって読み取られた場合であっても、他者は画像記録装置１へ入力すべき認証コードを知ることが困難であり、使用者になりすました他者が画像記録装置１に画像を記録させることを防止し、情報の機密性を保つことができる。更に、本発明においては、送信装置２は、認証コードを暗号化鍵として画像データを暗号化し、認証コードをダイジェスト化した第１変換情報と画像データを暗号化した暗号化画像データとを画像記録装置１へ送信し、画像記録装置１は、受け付けた認証コードを復号鍵として受信した暗号化画像データを復号することにより、通信ネットワーク上で情報が他者によって読み取られた場合であっても、第１変換情報から復号鍵である認証コードを知ることが困難であるために、他者は暗号化画像データを復号することが困難であり、情報の機密性を保つことができる。
【００２９】
なお、本実施の形態においては、送信装置２から画像データを送信して画像記録装置は受信した画像データから画像を形成して記録する形態を示したが、これに限るものではなく、画像記録装置１は記憶部１８に画像データを記憶しておき、記憶部１８に記憶している画像データに基づいて画像を形成して記録することを指示する画像記録指示を送信装置２から画像記録装置１へ送信する形態であってもよい。また、この場合は、第１変換情報と第２変換情報とが一致するか否かを判定するのに限らず、予め定めてある対応関係にあるか否かを判定する処理を用いる形態であってもよい。この場合においても、本発明を用いて認証コードをダイジェスト化して送信し、使用者を確認することにより、情報の機密性を保つことができる。
【００３０】
【発明の効果】
本発明においては、送信装置は、使用者を確認するための第１の情報を変換した第１変換情報を送信し、画像記録装置は、使用者から受け付けた第２の情報を第２変換情報に変換し、第１変換情報と第２変換情報とが正当に対応した場合に画像を記録することにより、前記情報を他者が手に入れてなりすましを行うことを防止し、情報の機密性を保つことができる。
【００３１】
また、本発明においては、送信装置は、使用者を確認するための第１の情報を変換した第１変換情報と第１の情報を暗号化鍵にして画像データを暗号化した暗号化画像データとを送信し、画像記録装置は、使用者から受け付けた第２の情報を第２変換情報に変換し、第１変換情報と第２変換情報とが一致した場合に第２の情報を復号鍵として暗号化画像データを復号して画像を記録することにより、第１変換情報と暗号化画像データとを他者が手に入れた場合でも、暗号化画像データを復号することが困難であるため、情報の機密性を保つことができる。
【００３２】
更に、本発明においては、第１変換情報及び第２変換情報は、一方向関数を用いて情報を変換して生成することにより、変換する前の情報を他者が知ることは困難であり、前記情報を用いて他者が画像の内容を知ることは困難であるため、情報の機密性を保つことができる等、本発明は優れた効果を奏する。
【図面の簡単な説明】
【図１】本発明の概要を示す概念図である。
【図２】本発明の画像記録システムの構成、及び本発明の画像記録装置の内部の構成を示すブロック図である。
【図３】送信装置から画像記録装置へ画像記録の指示を送信する処理の手順を示すフローチャートである。
【図４】画像記録の指示を送信する際の送信装置の出力画面例を示す模式図である。
【図５】画像記録装置の記憶部に記憶している記憶内容の例を示す概念図である。
【図６】画像記録装置が画像を記録する処理の手順を示すフローチャートである。
【図７】画像を記録する際の画像記録装置の操作部での出力画面例を示す模式図である。
【符号の説明】
１  画像記録装置
１１  制御部
１２  操作部
１３  通信部
１８  記憶部
２  送信装置
３０  コンピュータプログラム
【図１】
2004328629.tif 000003
【図２】
2004328629.tif 000004
【図３】
2004328629.tif 000005
【図４】
2004328629.tif 000006
【図５】
2004328629.tif 000007
【図６】
2004328629.tif 000008
【図７】
2004328629.tif 000009